(57)【特許請求の範囲】
【請求項１】
保管庫本体の前面開口部の上下内面にそれぞれ３本のスライドレールが前後に並べて設けられ、該スライドレールには前側扉、中間扉および後側扉がそれぞれ左右方向に移動自在に配設された保管庫において、前側扉の裏面の左右何れか一側の略下方部に上下に長い前ガイドレールが固着され、後側扉の裏面の左右何れか一側の略下方部に上下に長い後ガイドレールが固着され、上記３枚の扉の裏面側に２本のレバーを逆Ｖ字状に組み合わせたリンク機構が設けられ、２本のレバーを逆Ｖ字状に組み合わせたリンク機構には枢着部が設けられ、レバーの枢着部は上記中間扉の裏面の左右何れか一側の略上方部に枢着され、リンク機構の一方のレバーの枢着部に対して、反対端は前側扉の前ガイドレールに上下動自在に装着され、リンク機構の他方のレバーの枢着部に対して、反対端は後側扉の後ガイドレールに上下動自在に装着されていることを特徴とする保管庫。
【請求項２】
保管庫本体の前面開口部の上下内面にそれぞれ３本のスライドレールが前後に並べて設けられ、該スライドレールには前側扉、中間扉および後側扉がそれぞれ左右方向に移動自在に配設された保管庫において、前側扉の裏面の左右何れか一側の略上方部に上下に長い前ガイドレールが固着され、後側扉の裏面の左右何れか一側の略上方部に上下に長い後ガイドレールが固着され、上記３枚の扉の裏面側に２本のレバーをＶ字状に組み合わせたリンク機構が設けられ、２本のレバーをＶ字状に組み合わせたリンク機構には枢着部が設けられ、レバーの枢着部は上記中間扉の裏面の左右何れか一側の略下方部に枢着され、リンク機構の一方のレバーの枢着部に対して、反対端は前側扉の前ガイドレールに上下動自在に装着され、リンク機構の他方のレバーの枢着部に対して、反対端は後側扉の後ガイドレールに上下動自在に装着されていることを特徴とする保管庫。
【請求項３】
上記レバーが転動ローラを介して上記ガイドレールに移動自在に装着されていることを特徴とする請求項１、または〜請求項２に記載の保管庫。
【発明の詳細な説明】
【０００１】
【発明の属する技術分野】
本発明は、本体の前面開口部を開閉する引違い式の扉を備えた保管庫に係り、特に前側扉、中間扉および後側扉を備え、これら全ての扉の裏面側に一組のリンク機構が設けられて、開閉時に全ての扉が連動して開閉移動されるように構成された保管庫に関するものである。
【０００２】
【従来の技術】
一般的な物品収納用の大型保管庫はその前面の開口に引違い式の扉を２枚配して構成され、保管庫開口幅の１／２弱が開口できるように構成されている。このような構成では保管庫開口の中央部分に収納することや、この部分に収納された物を取り出すことが困難である。つまり、保管庫の中央に保管してあるファイル等はその脇のものを取り出してからではなければ取り出すことができない。
【０００３】
また、従来の２枚扉構造または３枚扉構造の保管庫においては、扉の開放時に一方の扉が他方の扉を通過して反対側へ移動してしまうことを防止するストッパが設けられているが、こうしたストッパは扉の開閉の際に係合部同士の衝突音を発生してしまい耳障りなものである。
【０００４】
一方、特公平０７−０６８８１７号公報に示される保管庫の扉装置は、開口部の中央部を開放可能とするために前後３列のレール上に合計５枚の扉を備えている。すなわち、前列のレール上および中間列のレール上にそれぞれ２枚の扉が左右に移動自在に設けられ、後列のレール上に前列の扉のほぼ２倍の幅を有する１枚の扉が設けられている。
【０００５】
さらに、前列の２枚の扉と後列の１枚の扉は閉扉時に後列の扉が開口部の中央に、また前列の扉が開口部の左右端にそれぞれ位置するようにＸ字形のリンク機構を介して左右方向に拡縮動作可能に連結されている。一方、中間レール上の扉は該中間列の扉と、後列の扉とに設けられたストッパにより引き違い移動が規制され、且つ閉扉時に前列の左右の扉と後列の中央の扉との間を塞ぐように構成されている。
【０００６】
しかし、中間列レール上の扉は中間開度のとき中間列の扉が一定の範囲内で自由に横移動し得るため、５枚組の扉の開閉動作時にストッパが耳障りな衝突音を発生してしまう。
また、Ｘ字形のリンク機構は２本のリンクの両端部を同時に前列のガイドレールまたは枢着部に取り付ける必要があるため、組付け作業が困難である。
【０００７】
【発明が解決しようとする課題】
したがって、この発明の目的は部品点数の増加を避けることができ、さらに連動して扉の開閉を司るリンク機構を最小部品点数にでき、扉が中間開度の時に扉間の衝突音を防止でき、しかも横揺れ等によって扉がかってに開くことを防止できる保管庫を提供することにある。
【０００８】
【課題を解決するための手段】
本発明は、前記の課題を解決するために、次のような技術手段を採用した。
請求項１記載の発明においては、保管庫本体の前面開口部の上下内面にそれぞれ３本のスライドレールが前後に並べて設けられ、該スライドレールには前側扉、中間扉および後側扉がそれぞれ左右方向に移動自在に配設された保管庫において、前側扉の裏面の左右何れか一側の略下方部に上下に長い前ガイドレールが固着され、後側扉の裏面の左右何れか一側の略下方部に上下に長い後ガイドレールが固着され、上記３枚の扉の裏面側に２本のレバーを逆Ｖ字状に組み合わせたリンク機構が設けられ、２本のレバーを逆Ｖ字状に組み合わせたリンク機構には枢着部が設けられ、レバーの枢着部は上記中間扉の裏面の左右何れか一側の略上方部に枢着され、リンク機構の一方のレバーの枢着部に対して、反対端は前側扉の前ガイドレールに上下動自在に装着され、リンク機構の他方のレバーの枢着部に対して、反対端は後側扉の後ガイドレールに上下動自在に装着されるという技術手段を採用した。
【０００９】
上記構成によれば、３枚の扉のそれぞれの幅寸法を保管庫の本体の開口部の全幅の１／２未満に設定することができるので、保管庫の中央部付近も開放可能に構成できる。
また、３枚の扉は全てリンク機構により互いに連結されており、扉の開閉に従って中間ガイドレールに沿って、レバーの逆Ｖ字状に連結した連結部が上下動され、且つレバーの下端の枢着部分が回動される。
【００１０】
従って、上記前側扉または後側扉の開閉の開始から終了までの間、該開閉の開度に応じて常に上記リンク機構が連動され、中間扉を自動的且つ連続的に左右移動するので、従前のような衝突音等を一切生じる虞れがない。
【００１１】
また、全ての扉はレバーの自重による倒れ込み作用により、常に閉鎖方向に付勢され、横揺れ等を受けて開放されることを防止できる。各扉とリンク機構の部品点数は必要にして最小限に抑えられており、組立作業に際しても、先ずレバーの逆Ｖ字状に連結した連結部を転動ローラを介して中間ガイドレールに装着し、その後にレバーの他端を前側扉および後側扉の下部に枢着して完成されるので、狭い保管庫内であっても簡単に組立作業ができる。
【００１２】
さらに、扉の開放時にも扉同士の係合部が衝突音を発することを防止できる。また、逆Ｖ字状のリンク機構の自重による閉鎖力が増大され、扉が開け放された場合であっても、迅速に自動閉鎖され、地震等による横揺れを受けた場合であっても、横揺れに抗して扉を閉鎖することができる。
【００１３】
請求項２記載の発明においては、保管庫本体の前面開口部の上下内面にそれぞれ３本のスライドレールが前後に並べて設けられ、該スライドレールには前側扉、中間扉および後側扉がそれぞれ左右方向に移動自在に配設された保管庫において、前側扉の裏面の左右何れか一側の略上方部に上下に長い前ガイドレールが固着され、後側扉の裏面の左右何れか一側の略上方部に上下に長い後ガイドレールが固着され、上記３枚の扉の裏面側に２本のレバーをＶ字状に組み合わせたリンク機構が設けられ、２本のレバーをＶ字状に組み合わせたリンク機構には枢着部が設けられ、レバーの枢着部は上記中間扉の裏面の左右何れか一側の略下方部に枢着され、リンク機構の一方のレバーの枢着部に対して、反対端は前側扉の前ガイドレールに上下動自在に装着され、リンク機構の他方のレバーの枢着部に対して、反対端は後側扉の後ガイドレールに上下動自在に装着されるという技術手段を採用した。
【００１４】
上記構成によればＶ字状に連結された２本のレバーの両端枢着部が前側、後側扉の前、後ガイドレールに上下動自在に装着されているので、各レバーの自重による倒れ込み作用が得られ、高い自動閉鎖機能を確保できる。
【００１５】
請求項３記載の発明においては、請求項１、または請求項２の発明に加えて、上記レバーが転動ローラを介して上記ガイドレールに移動自在に装着されるという技術手段を採用した。
【００１６】
上記構成によればレバーが転動ローラを介してガイドレールに移動自在に装着されているので、リンク機構の動作抵抗を軽減して、リンク機構を滑らかに動作させることができる。
【００１７】
【発明の実施の形態】
以下、図面を参照して本発明の実施例につき説明する。
【００１８】
【第１実施例】
本発明の実施例を図面に基づいて説明する。
図１は保管庫の斜視図、図２は第１実施例の逆Ｖ字状のリンク機構を扉の裏面に組み込み扉を閉鎖した状態を示す斜視図、図３は第２実施例のＶ字状のリンク機構を扉の裏面に組み込み扉を閉鎖した状態を示す斜視図である。
【００１９】
保管庫の本体１はその前面に矩形状の開口部２を有し、該開口部２に上部内側面および下部内側面にはそれぞれその全幅に亘って延びる３本のスライドレール２ａが前後に並べて設けられている。該スライドレール２ａには前側扉３、中間扉４および後側扉５がそれぞれ左右方向に移動自在に配設されている。
【００２０】
上記前側扉３は開口部２の全横幅寸法の１／２に満たない幅寸法に設定されており、例えば、閉鎖時には保管庫の本体１の正面視右側に前側扉３が位置され、前側扉３の前面右側の略中央には把手３１が凹設されている。上記中間扉４の幅は前側扉３の把手３１を除く幅寸法に対応するように設定されており、前側扉３の把手３１を除く後側に重ねることのできるように構成されている。後側扉５はその幅寸法を上記前側扉３と略同じに設定されており、該後側扉５の前面左側の略中央には把手５１が凹設されている。
【００２１】
上述のように構成された３枚の扉３、４、５の裏面には一組のリンク機構６が設けられている。
【００２２】
図２はこの発明の第１実施例の要部を示す斜視図である。図中に示される前側扉３の裏面の下方部左側には上下に長い前ガイドレール３３が設けられ、該前ガイドレール３３の上部には挿入口３３ａが形成されている。中間扉４の裏面の左側の上方部に中間扉用取付ブラケット４２が設けられ、その中央には枢着突起４２ａが形成されている。後側扉５の裏面の下方部左側には、上下に長い後ガイドレール５３が設けられ、該後ガイドレール５３の上方部左側には挿入口５３ａが形成されている。挿入口３３ａ、５３ａは切欠部を設けるとより円滑に転動ローラ６１ａを挿入できる。
【００２３】
リンク機構６は両レバー６１で逆Ｖ字状に連結し、連結した中央部を枢着し、両レバー６１の他端と、前側扉の前ガイドレール３３および後側扉の後ガイドレール５３とはそれぞれに転動ローラ６１ａで上下動できるように枢着されている。
【００２４】
以上のように構成されたリンク機構６は次のような手順に従って扉３、４、５の裏面に装着される。上記一方のレバー６１の転動ローラ６１ａを前側扉３の前ガイドレール３３の挿入口３３ａに挿入し、他方のレバー６１の転動ローラ６１ａを後側扉５の後ガイドレール５３の挿入口５３ａに挿入し、さらに、両レバー６１の連結部と中間扉用取付ブラケット４２の枢着突起４２ａとを枢着する。
【００２５】
【第２実施例】
図３はこの発明の第２実施例の要部を示す斜視図である。図中に示される前側扉３の裏面の上方部左側には上下に長い前ガイドレール３４が設けられ、該前ガイドレール３４の上部には挿入口３４ａが形成されている。該中間扉４の裏面の下方部左側には中間扉用取付ブラケット４２が設けられており、該中間扉用取付ブラケット４２には枢着突起４２ａが固設されている。後側扉５の裏面の左側の上方部には上下に長い後ガイドレール５４が設けられ、その上端には挿入口５４ａが形成されている。
【００２６】
リンク機構６は２本のレバー６１をＶ字状に枢着して構成され、両レバー６１の連結部にはそれぞれ転動ローラ６１ａが枢着されている。上記２本のレバー６１の連結部と枢着するように中間扉用取付ブラケット４２に枢着突起４２ａが固設されている。
【００２７】
以上のように構成されたリンク機構６は次のような手順に従って扉３、４、５の裏面に装着される。上記２本のうちの一方のレバー６１の上方端の転動ローラ６１ａを前ガイドレール３４の挿入口３４ａに挿入し、また、他方のレバー６１の上方端の転動ローラ６１ａを後ガイドレール５４の挿入口５４ａに挿入し、さらに、２本のレバー６１の連結部の枢着孔６１ｃを中間扉用取付ブラケット４２の枢着突起４２ａに枢着する。
【００２８】
【発明の効果】
本発明は、以上の構成を採用した結果、次のような甲かを得ることができる。
（１）  前側扉、中間扉および後側扉を設けたことにより保管庫の本体の中央部への収納を容易にし、且つ、Ｘ字状、ｙ字状よりもさらに部品点数を必要最低限に抑えることが可能なので、製造時の組立工数を削減することができる。
（２）  リンク機構は扉同士の衝突を無くし、開閉時の静粛性を向上し、リンク機構の自重による自動的な扉閉鎖機能を持つので、横揺れを受けた場合であっても、自動的に閉鎖して開放を防止できる。
【図面の簡単な説明】
【図１】  第１実施例の保管庫の本体を示す斜視図である。
【図２】  第１実施例のリンク機構を備えた３枚の扉の裏面構造を示す斜視図である。
【図３】  第２実施例のリンク機構を備えた３枚の扉の裏面構造を示す斜視図である。
【符号の説明】
１・・・・保管庫の本体                      ２・・・・開口部
２ａ・・・・スライドレール                    ３・・・・前側扉
３１・・・・把手                            ３３・・・・前ガイドレール
３３ａ・・・・挿入口                          ３４・・・・前ガイドレール
３４ａ・・・・挿入口                            ４・・・・中間扉
４２・・・・中間扉用取付ブラケット        ４２ａ・・・・枢着突起
５・・・・後側扉                          ５１・・・・把手
５３・・・・後ガイドレール                ５３ａ・・・・挿入口
５４・・・・後ガイドレール                ５４ａ・・・・挿入口
６・・・・リンク機構                      ６１・・・・レバー
６１ａ・・・・転動ローラ
【図１】
0003953197.tif 000002
【図２】
0003953197.tif 000003
【図３】
0003953197.tif 000004